(57)【要約】【課題】帯状清掃布が寄れてしまうのを阻止して、帯状清掃布の巻き取り動作の不具合の発生を阻止しえる乗客コンベアの移動手摺清掃装置の提供。【解決手段】上記課題は、帯状清掃布７と、この帯状清掃布７に含浸させる清掃液を格納した清掃液貯蔵タンク部と、この清掃液貯蔵タンク部内の清掃液を含浸させた帯状清掃布７を乗客コンベアの移動手摺４に押し付けるために上下動する清掃体押付手段と、この清掃体押付手段により乗客コンベアの移動手摺４に押し付けられた帯状清掃布７の部分を巻き取る巻取り軸を、少なくとも備え、清掃体押付手段の押し台１０Ａを上下動させて帯状清掃布７を弛ませた後に、帯状清掃布７を巻取り軸に巻き取れせる動作を複数回行わせる構成とすることにより、達成できる。【選択図】図３
2008156020.tif 000002
【特許請求の範囲】
【請求項１】
帯状清掃布と、この帯状清掃布に含浸させる清掃液を格納した清掃液貯蔵タンク部と、この清掃液貯蔵タンク部内の清掃液を含浸させた前記帯状清掃布を乗客コンベアの移動手摺に押し付けるために上下動する清掃体押付手段と、この清掃体押付手段により乗客コンベアの移動手摺に押し付けられた帯状清掃布の部分を巻き取るための巻取り軸とを、少なくとも備え、前記清掃体押付手段を上下動させて前記帯状清掃布を弛ませた後、その帯状清掃布の弛ませた部分を前記巻取り軸側に移動させる動作を複数回行わせる構成にしたことを特徴とする乗客コンベアの移動手摺清掃装置。
【請求項２】
前記帯状清掃布を、ロール状に芯材に巻回した構造とし、その帯状清掃布を清掃液貯蔵タンク部内に直接沈め込む構成としたことを特徴とする請求項１記載の乗客コンベアの移動手摺清掃装置。
【請求項３】
前記清掃液貯蔵タンク部内に、前記帯状清掃布の芯材を案内し、かつ、保持するレールを設けたことを特徴とする請求項２記載の乗客コンベアの移動手摺清掃装置。
【発明の詳細な説明】
【技術分野】
【０００１】
本発明は、乗客コンベアの移動手摺清掃装置に関するものである。
【背景技術】
【０００２】
従来、乗客コンベアの移動手摺清掃装置としては、ボビン状装着軸にロール状に巻回した帯状清掃布に、清掃液貯蔵タンク部内の清掃液を含浸させた後、その帯状清掃布を清掃体押付手段により乗客コンベアの移動手摺に押し付け、その後、その帯状清掃布を巻取り軸に巻き取るとともに、前記ボビン状装着軸を取り外し可能に支持させたものが知られている（例えば、特許文献１参照）。
【特許文献１】特開平１０−３３８４５０号公報
【発明の開示】
【発明が解決しようとする課題】
【０００３】
しかしながら、上述した特開平１０−３３８４５０号公報に記載された乗客コンベアの移動手摺清掃装置では、帯状清掃布に清掃液を効率よく含浸させるのに、清掃液貯蔵タンク部内の下部に設けたボビン状装着軸にロール状に巻いた帯状清掃布を装着することで、その帯状清掃布が清掃液貯蔵タンク部の内底部を経由して移動するようにするための機構を必要としており、そのために、嵩張ってしまうという問題があった。
【０００４】
そこで、図８〜図１０に示すように、清掃液貯蔵タンク部３０内の下部にボビン状装着軸を設けることなく、ロール状に巻回した帯状清掃布３１を清掃液貯蔵タンク部３０内に直接沈め込む構造とすることにより移動手摺清掃装置の嵩張りを少なくすることで、移動手摺清掃装置の省スペース化を図るようにしたものを開発した。ところが、この構造には、次のような問題点があることがわかった。
【０００５】
すなわち、帯状清掃布３１における清掃体押付手段により乗客コンベアの移動手摺に押し付けられた部分を、その清掃体押付手段の上面位置から外方に移動させるために、帯状清掃布３１を巻取り軸に巻き取る場合、換言すれば、清掃布３１の使用部分（汚れた部分）を移動させて、帯状清掃布３１の未使用部分（汚れていない新しい部分）を清掃体押付手段の上面位置に移動させる場合、図８〜図１０に示すように、従来の清掃液貯蔵タンク部３０内に直接沈め込まれたロール状に巻回した帯状清掃布３１が清掃液貯蔵タンク部３０の出口から引き出された際、その帯状清掃布３１が左右前後及び斜めに移動してしまうことによって帯状清掃布３１の幅方向の両端で巻取り抵抗の差異が発生することと、清掃体押付手段を下降させて帯状清掃布３１の乗客コンベアの移動手摺への押し付け状態を解除することで巻取り軸に巻き取られるところの帯状清掃布３１の長手方向の張力が増大することが相俟って、帯状清掃布３１が清掃体押付手段の上面中央若しくは上面左右に寄れてしまう。そのために、上述した従来の乗客コンベアの移動手摺清掃装置では、帯状清掃布３１の巻き取り方向の芯ずれや帯状清掃布３１の皺の発生などが起因し、帯状清掃布３１が巻取り軸に巻き取られなくなるという不具合が発生してしまい、移動手摺清掃装置が正常に動作しなくなってしまうことがあった。なお、図８〜図１０において、符号３１Ａは、清掃液貯蔵タンク部３０の出口から外部に引き出された帯状清掃布３１の引き出し部分を示している。
【０００６】
本発明は、上述した従来技術における実状からなされたもので、その目的は、帯状清掃布が寄れてしまうのを阻止して、帯状清掃布の巻き取り動作の不具合の発生を阻止しえる乗客コンベアの移動手摺清掃装置を提供することにある。
【課題を解決するための手段】
【０００７】
上記目的を達成するために、本発明は、帯状清掃布と、この帯状清掃布に含浸させる清掃液を格納した清掃液貯蔵タンク部と、この清掃液貯蔵タンク部内の清掃液を含浸させた前記帯状清掃布を乗客コンベアの移動手摺に押し付けるために上下動する清掃体押付手段と、この清掃体押付手段により乗客コンベアの移動手摺に押し付けられた帯状清掃布の部分を巻き取るための巻取り軸とを、少なくとも備え、前記清掃体押付手段を上下動させて前記帯状清掃布を弛ませた後、その帯状清掃布の弛ませた部分を前記巻取り軸側に移動させる動作を複数回行わせる構成にしたことを特徴としたものである。
【０００８】
さらに、本発明は、前記帯状清掃布を、ロール状に芯材に巻回した構成とし、その帯状清掃布を清掃液貯蔵タンク部内に直接沈め込む構成としたことを特徴としている。
【０００９】
さらに、本発明は、前記清掃液貯蔵タンク部内に、前記帯状清掃布の芯材を案内し、かつ、保持するレールを設けたことを特徴としている。
【発明の効果】
【００１０】
本発明によれば、ロール状に単なる芯材に巻回した帯状清掃布を清掃液貯蔵タンク部内に直接沈め込む構成にして移動手摺清掃装置の省スペース化を図るようにした場合であっても、帯状清掃布が寄れてしまうのが阻止されて、帯状清掃布の巻き取り動作の不具合の発生を阻止できる乗客コンベアの移動手摺清掃装置が得られる。
【発明を実施するための最良の形態】
【００１１】
以下、本発明に係る乗客コンベアの移動手摺清掃装置の実施形態を、図面に基づいて説明する。図１は、本発明の一実施形態に係る乗客コンベアの移動手摺清掃装置を装着した状態を示す図である。図２は、本発明の一実施形態に係る乗客コンベアの移動手摺清掃装置の要部縦断面図である。図３は、本発明の一実施形態に係る乗客コンベアの移動手摺清掃装置による清掃動作を説明するための模式図である。図４は、本発明の他実施形態その１に係る乗客コンベアの移動手摺清掃装置に用いられる清掃液貯蔵タンク部の上面から見た概略構造図である。図５は、本発明の他実施形態その１に係る乗客コンベアの移動手摺清掃装置に用いられる清掃液貯蔵タンク部の正面から見た概略構造図である。図６は、本発明の他実施形態その１に係る乗客コンベアの移動手摺清掃装置に用いられる清掃液貯蔵タンク部の側面から見た概略構造図である。図７は、本発明の他実施形態その２に係る乗客コンベアの移動手摺清掃装置に用いられる清掃液貯蔵タンク部の側面から見た概略構造図である。図８は、従来の乗客コンベアの移動手摺清掃装置に用いられる清掃液貯蔵タンク部の上面から見た概略構造図である。図９は、従来の乗客コンベアの移動手摺清掃装置に用いられる清掃液貯蔵タンク部の正面から見た概略構造図である。図１０は、従来の乗客コンベアの移動手摺清掃装置に用いられる清掃液貯蔵タンク部の側面から見た概略構造図である。
【００１２】
図１に示す本発明の一実施形態に係る乗客コンベア１は、トラス構造体からなるフレーム２と、このフレーム２に組み込まれて無端状に連結された複数個の踏み段（図示せず）と、この複数個の踏み段の左右に立設された欄干３と、この欄干３の上面に沿って複数個の踏み段に移動方向と同方向に移動する移動手摺４を、少なくとも備えている。この移動手摺４を清掃する場合には、図１に示すように、移動手摺清掃装置５を乗客コンベア１の下部出入口側に位置する部分に設置する。
【００１３】
移動手摺清掃装置５は、図２示すように、上方部に開口６Ａを有する箱状の本体ケース６と、未使用の帯状清掃布７をロール状に装着するための清掃布装着軸８と、帯状清掃布７の使用済み部分を巻き取るための巻取り軸９と、この巻取り軸９と清掃布装着軸８との間に位置するところの帯状清掃布７の未使用部分を移動手摺４の表面に押圧させる清掃体押付手段１０と、移動手摺４の移動の有無及び移動方向を検知する移動手摺速度検出手段１１と、この移動手摺速度検出手段１１の検出部を移動手摺４に選択的に当接させる検出部昇降手段１２と、帯状清掃布７の使用済み部分を巻取り軸９に巻き取るためにその巻取り軸９を回転させる巻取り駆動源部（帯状清掃布更新手段）１３と、清掃効果を向上させる清掃液や艶出し剤を帯状清掃布７に含浸させるための清掃液貯蔵タンク部（清掃液供給手段）１４と、帯状清掃布７の巻取り動作等を制御する制御手段部１５と、帯状清掃布７の巻取り動作状態等を表示する操作表示部１６とから構成されている。
【００１４】
清掃体押付手段１０は、移動手摺４の表面に対向させた押し台１０Ａと、この押し台１０Ａを上下動させる昇降機構１０Ｂとからなり、押し台１０Ａを上昇させることで、移動手摺４の表面に押し台１０Ａの上面が押圧され、かつ、押し台１０Ａを下降させることで、移動手摺４の表面側から押し台１０Ａの上面が離れるように動作するようにしてある。制御手段部１５は、巻取り駆動源部１３の動作はもちろんのこと、清掃体押付手段１０及び検出部昇降手段１２の動作を、制御するようにしてある。
【００１５】
清掃液貯蔵タンク部１４には、その清掃液貯蔵タンク部内の下部に帯状清掃布７の未使用部分を巻装させる回転軸１４Ａを設けるとともに、清掃効果を向上させる清掃液や艶出し剤が格納されている。清掃布装着軸８にロール状に巻いた帯状清掃布７は、清掃液貯蔵タンク部１４内の回転軸１４Ａに巻装させた後、移動手摺４の表面と押し台１０Ａの上面との間を経由して巻取り軸９に巻装させるようにしてある。
【００１６】
次に、上記一実施形態に係る乗客コンベア１の移動手摺清掃装置５よる清掃手順を、図３の（Ａ）〜図３の（Ｇ）に基づき、説明する。
【００１７】
まず、清掃体押付手段１０の押し台１０Ａを上昇させて帯状清掃布７の未使用部分を移動手摺４の表面に押圧させた状態で、移動手摺４を一回転移動させることで、図３の（Ａ）のように、移動手摺４の清掃状態となる。この清掃状態によって、帯状清掃布７の未使用部分は、その未使用部分に移動手摺４の表面の汚れが付着することで、図３の（Ａ）に示すように、帯状清掃布７の使用済み部分７Ａとなる。
【００１８】
次に、図３の（Ａ）の清掃状態から移動手摺４の移動を停止させた後、清掃体押付手段１０の押し台１０Ａを下降させることで、図３の（Ｂ）に示すように、帯状清掃布７を弛ませる状態とする。この状態で、巻取り軸９を回転させることにより、帯状清掃布７の弛んだ部分の一部を、巻取り軸９を回転させることで、巻取り軸９側に移動させることによって、図３の（ｃ）に示す状態とする。
【００１９】
次に、図３の（Ｃ）に示す状態から清掃体押付手段１０の押し台１０Ａを上昇させると同時に巻取り軸９の回転を停止させることで、図３の（Ｄ）に示すように、再び帯状清掃布７を移動手摺４の表面に押圧させた状態とする。この状態では、帯状清掃布７の使用済み部分７Ａの一部と帯状清掃布７の未使用部分が移動手摺４の表面に押圧させた状態となる。
【００２０】
次いで、再び、清掃体押付手段１０の押し台１０Ａを下降させることで、図３の（Ｅ）に示すように、帯状清掃布７を弛ませる状態とする。この状態で、巻取り軸９を回転させることにより、帯状清掃布７の弛んだ部分を、巻取り軸９を回転させることで、巻取り軸９側に移動させることによって、図３の（Ｆ）に示す状態となり、帯状清掃布７の使用済み部分７Ａの全部が清掃体押付手段１０の押し台１０Ａの上面から外れて巻取り軸９側に移動する。この状態では、清掃体押付手段１０の押し台１０Ａの上面全面に、帯状清掃布７の未使用部分が位置するようになる。
【００２１】
次いで、図３の（Ｆ）に示す状態から清掃体押付手段１０の押し台１０Ａを上昇させると同時に巻取り軸９の回転を停止させることで、図３の（Ｇ）に示すように、再び帯状清掃布７を移動手摺４の表面に押圧させた状態とする。この状態では、清掃体押付手段１０の押し台１０Ａの上面全面によって、帯状清掃布７の未使用部分が移動手摺４の表面に押圧させた状態となる。この状態で、移動手摺４を一回転移動させることで、図３の（Ａ）のように、移動手摺４の清掃を再び実施することができる。
【００２２】
上記一実施形態に係る乗客コンベア１の移動手摺清掃装置５によれば、図３の（Ａ）〜図３の（Ｇ）に示す清掃手順（清掃方法）により、移動手摺４の清掃を行うことにより、帯状清掃布７の巻取り時にその帯状清掃布７の長手方向の張力を軽減でき、清掃体押付手段１０の押し台１０Ａの上面中央若しくは上面左右に帯状清掃布７が寄ってしまうことが阻止されて、帯状清掃布７が芯ずれした状態で巻取り軸９に巻き取られることが抑制されることにより、巻取り駆動源部１３を構成している巻取り歯車などに帯状清掃布７が噛み込まれることがなくなる。
【００２３】
次に、本発明の他実施形態その１を図４〜図６に基づき、かつ、本発明の他実施形態その２を図７に基づき、それぞれ説明する。
【００２４】
本発明の他実施形態その１の移動手摺清掃装置１７の清掃液貯蔵タンク部１８は、図４〜図６に示すように、ロール状に芯材１９に巻回した帯状清掃布２０と清掃液を直接格納できる構成にしてある。他実施形態その１の移動手摺清掃装置１７は、清掃液貯蔵タンク部１８及び帯状清掃布２０以外の構成については一実施形態の移動手摺清掃装置５と同一としてある。
【００２５】
他実施形態その１の清掃液貯蔵タンク部１８には、図４〜図６に示すように、清掃液貯蔵タンク部１８に出口に帯状清掃布２０を案内する案内棒２１と案内板２２が設けられている。他実施形態その１の帯状清掃布２０は、帯状清掃布２０のロール幅寸法が１０５〜１１５ｍｍ程度で、かつ、帯状清掃布２０のロール直径寸法が最大５０〜５５ｍｍ程度のとき、芯材１９の直径寸法を８〜２０ｍｍ程度に設定してある。芯材１９の長さ寸法は、帯状清掃布２０のロール幅の両端からそれぞれ約３ｍｍ突出するように設定してある。清掃液貯蔵タンク部１８の幅寸法は、芯材１９の長さ寸法よりも、１〜５ｍｍ程度大きくなる寸法に設定してある。なお、符号２０Ａは、清掃液貯蔵タンク部１８の出口から外部に引き出された帯状清掃布２０の引き出し部分を示している。
【００２６】
他実施形態その１の清掃液貯蔵タンク部１８によれば、清掃液貯蔵タンク部１８、芯材１９及び帯状清掃布２０を、上記寸法関係に設定することで、ロール状に芯材１９に巻回した帯状清掃布２０を清掃液貯蔵タンク部１８内に直接沈め込んでも、清掃液貯蔵タンク部１８で、帯状清掃布２０が左右前後及び斜めに移動することが抑制される。これにより、帯状清掃布２０が巻取り軸９に巻き取られる際、その巻取り軸９の軸心に対して直角に帯状清掃布２０が巻き取られなくなる現象の発生が抑制される。
【００２７】
本発明の他実施形態その１の移動手摺清掃装置１７によれば、帯状清掃布２０を、ロール状に芯材に巻回した構成とし、その帯状清掃布２０を清掃液貯蔵タンク部１８内に直接沈め込む構成として、帯状清掃布２０が清掃液貯蔵タンク部２０の内底部を経由して移動するようにするための機構を不要としたので、部品点数が少なくなり生産性が向上するとともに、嵩張りが抑えられて移動手摺清掃装置１７の省スペース化を図ることができる。
【００２８】
上記他実施形態その１の移動手摺清掃装置１７では、清掃体押付手段１０の押し台１０Ａを上下動させて帯状清掃布２０を弛ませ、その弛んだ帯状清掃布２０の使用済み部分の一部を巻取り軸９に巻き取らせる動作を、複数回繰り返すことにより、帯状清掃布２０の使用済み部分の全部を清掃体押付手段１０の押し台１０Ａの上面から外して清掃体押付手段１０の押し台１０Ａの上面全面に帯状清掃布２０の新しい未使用部分を位置させるようにすることで、帯状清掃布２０の使用済み部分の全部を一気に巻取り軸９に巻き取るようにしていないため、ロール状に芯材１９に巻回した帯状清掃布２０を直接格納できる構成であっても、巻取り軸９を帯状清掃布２０に巻き取る場合の不具合の発生が阻止され、使い勝手の向上が図られる。
【００２９】
次に、本発明の他実施形態その２の移動手摺清掃装置２３の清掃液貯蔵タンク部２４は、図７に示す。図７において、他実施形態その１の清掃液貯蔵タンク部１８を示すところの図４〜図６と同一符号は同一内容を示している。他実施形態その２の移動手摺清掃装置２３は、清掃液貯蔵タンク部２４内に、帯状清掃布２０の芯材１９を、案内し、かつ、保持するレール２５を設けるようにしてものである。
【００３０】
本発明の他実施形態その２の移動手摺清掃装置によれば、清掃液貯蔵タンク部２４内に、帯状清掃布２０の芯材１９を、案内し、かつ、保持するレール２５を設ける構成としたため、清掃液貯蔵タンク部２４内で、帯状清掃布２０が左右前後及び斜めに移動することが確実に抑制される。これにより、帯状清掃布２０が巻取り軸９に巻き取られる際、その巻取り軸９の軸心に対して直角に帯状清掃布２０が巻き取られなくなる現象の発生が抑制される。
【００３１】
上記各他実施形態では、清掃体押付手段１０の押し台１０Ａを上下動させて帯状清掃布２０を弛ませる動作を、２回繰り返すようにしているが、これに限定されない。その弛ませる動作を、２回を超える複数回とするようにしてもよい。また、上記各他実施形態の移動手摺清掃装置５、１７、２３よる清掃手順では、移動手摺４の移動を停止させた後に清掃体押付手段１０の押し台１０Ａを下降させるようにしているが、清掃体押付手段１０の押し台１０Ａを下降させた後に移動手摺４の移動を停止させるようにすることも可能である。
【００３２】
さらに、上記各他実施形態では、移動手摺清掃装置５、１７、２３を乗客コンベア１の下部出入口側に位置する部分に設置しているが、乗客コンベア１の上部部出入口側に位置する部分などに設置するようにしてもよい。また、清掃液貯蔵タンク部１４、１８、２４は、本体ケース６と一体的に形成するようにしてもよいし、本体ケース６と別体に形成してその本体ケース６に脱着可能に設けるようにしてもよい。
【図面の簡単な説明】
【００３３】
【図１】本発明の一実施形態に係る乗客コンベアの移動手摺清掃装置を装着した状態を示す図である。
【図２】本発明の一実施形態に係る乗客コンベアの移動手摺清掃装置の要部縦断面図である。
【図３】本発明の一実施形態に係る乗客コンベアの移動手摺清掃装置による清掃動作を説明するための模式図である。
【図４】本発明の他実施形態その１に係る乗客コンベアの移動手摺清掃装置に用いられる清掃液貯蔵タンク部の上面から見た概略構造図である。
【図５】本発明の他実施形態その１に係る乗客コンベアの移動手摺清掃装置に用いられる清掃液貯蔵タンク部の正面から見た概略構造図である。
【図６】本発明の他実施形態その１に係る乗客コンベアの移動手摺清掃装置に用いられる清掃液貯蔵タンク部の側面から見た概略構造図である。
【図７】本発明の他実施形態その２に係る乗客コンベアの移動手摺清掃装置に用いられる清掃液貯蔵タンク部の側面から見た概略構造図である。
【図８】従来の乗客コンベアの移動手摺清掃装置に用いられる清掃液貯蔵タンク部の上面から見た概略構造図である。
【図９】従来の乗客コンベアの移動手摺清掃装置に用いられる清掃液貯蔵タンク部の正面から見た概略構造図である。
【図１０】従来の乗客コンベアの移動手摺清掃装置に用いられる清掃液貯蔵タンク部の側面から見た概略構造図である。
【００３４】
１    乗客コンベア
２    フレーム
３    欄干
４    移動手摺
５    移動手摺清掃装置
６    本体ケース
６Ａ  開口
７    帯状清掃布
７Ａ  使用済み部分
８    清掃布装着軸
９    巻取り軸
１０  清掃体押付手段
１０Ａ  押し台
１０Ｂ  昇降機構
１１  移動手摺速度検出手段
１２  検出部昇降手段
１３  巻取り駆動源部
１４  清掃液貯蔵タンク部
１４Ａ  回転軸
１５  制御手段部
１６  操作表示部
１７  移動手摺清掃装置（他実施形態その１）
１８  清掃液貯蔵タンク部（他実施形態その１）
１９  芯材
２０  帯状清掃布（他実施形態その１）
２０Ａ  清掃液貯蔵タンク部から引き出された帯状清掃布の引き出し部分
２１  案内棒
２２  案内板
２３  移動手摺清掃装置（他実施形態その２）
２４  清掃液貯蔵タンク部（他実施形態その２）
２５  レール
【図１】
2008156020.tif 000003
【図２】
2008156020.tif 000004
【図３】
2008156020.tif 000005
【図４】
2008156020.tif 000006
【図５】
2008156020.tif 000007
【図６】
2008156020.tif 000008
【図７】
2008156020.tif 000009
【図８】
2008156020.tif 000010
【図９】
2008156020.tif 000011
【図１０】
2008156020.tif 000012